(57)【要約】【課題】有機ＥＬディスプレイの欠陥領域の拡大を抑制できる有機ＥＬディスプレイおよび電子機器を提供する。【解決手段】複数のスイッチング素子を有し曲げ変形可能な電極層１と、電極層１の表面に互いに離れて配置される複数の有機ＥＬ層２と、電極層１および複数の有機ＥＬ層２を同一の空間内に密封して収容する封止膜３と、を備え、封止膜３は、スイッチング素子を含む電極層１の一部および有機ＥＬ層２を収容し個々に密封される複数の画像封止部１２と、隣り合う画像封止部１２同士の間に配置され、電極層１の一部が収容される電極封止部１３と、を有する。【選択図】図２
2020136188.tif 000002
【特許請求の範囲】
【請求項１】
複数のスイッチング素子を有し曲げ変形可能な電極層と、
前記電極層の表面に互いに離れて配置される複数の有機ＥＬ層と、
前記電極層および複数の前記有機ＥＬ層を同一の空間内に密封して収容する封止膜と、を備え、
前記封止膜は、
前記スイッチング素子を含む前記電極層の一部および前記有機ＥＬ層を収容し個々に密封される複数の画像封止部と、
隣り合う前記画像封止部同士の間に配置され、前記電極層の一部が収容される電極封止部と、を有する、
有機ＥＬディスプレイ。
【請求項２】
前記封止膜は、
前記電極層および前記有機ＥＬ層を前記電極層の厚さ方向の表面側から覆うＴＦＥ層と、
前記電極層を前記厚さ方向の裏面側から覆うバリア層と、を有し、
前記ＴＦＥ層は、無機材料層と有機材料層とが積層された多層構造である、
請求項１に記載の有機ＥＬディスプレイ。
【請求項３】
前記ＴＦＥ層は、前記ＴＦＥ層の外縁部に鍔部を有し、
前記鍔部は、前記厚さ方向に垂直な方向に拡がり、前記バリア層と直接接触する、
請求項２に記載の有機ＥＬディスプレイ。
【請求項４】
前記封止膜の前記厚さ方向の裏面側に配置される基板を備え、
前記バリア層は、前記厚さ方向において前記基板と前記電極層とに挟まれる、
請求項２または３に記載の有機ＥＬディスプレイ。
【請求項５】
前記電極層の厚さ方向において、前記封止膜の表面側に配置されるバッファ層を備え、
前記ＴＦＥ層は、前記ＴＦＥ層の表面が凹凸形状であり、
前記バッファ層は、前記ＴＦＥ層の表面に配置され、前記バッファ層の表面は平坦形状である、
請求項２から４のいずれか１項に記載の有機ＥＬディスプレイ。
【請求項６】
前記電極層の厚さ方向において、前記封止膜の表面側に配置されるタッチセンサ層を備える、
請求項１から５のいずれか１項に記載の有機ＥＬディスプレイ。
【請求項７】
前記電極層の厚さ方向において、前記封止膜の表面側に配置される偏光板を備える、
請求項１から６のいずれか１項に記載の有機ＥＬディスプレイ。
【請求項８】
複数の前記画像封止部は、前記電極層の厚さ方向に直交する第１方向において、互いに離れて配置され、
複数の前記画像封止部は、
第１画像封止部と、
前記第１画像封止部よりも前記第１方向の長さが小さい第２画像封止部と、を有する、
請求項１から７のいずれか１項に記載の有機ＥＬディスプレイ。
【請求項９】
前記第２画像封止部は、複数設けられ、
複数の前記第２画像封止部は、前記厚さ方向および前記第１方向に直交する第２方向において、互いに離れて配置される、
請求項８に記載の有機ＥＬディスプレイ。
【請求項１０】
請求項１から９のいずれか１項に記載の有機ＥＬディスプレイと、
前記有機ＥＬディスプレイが設けられる筐体と、を備えた電子機器であって、
前記筐体は、前記筐体の外縁部にエッジ部を有し、
前記電極封止部は、前記エッジ部に配置される、
電子機器。
【請求項１１】
複数の前記画像封止部のうち少なくとも１つが、前記エッジ部に配置される、
請求項１０に記載の電子機器。
【請求項１２】
前記筐体に装着されるカバー部材を備え、
前記カバー部材は、前記エッジ部上に配置されて前記有機ＥＬディスプレイの一部を覆うエッジカバー部を有し、
前記エッジカバー部は、前記有機ＥＬディスプレイに接触する柱部を有し、
前記柱部は、前記電極封止部上に配置される、
請求項１０または１１に記載の電子機器。
【発明の詳細な説明】
【技術分野】
【０００１】
本発明は、有機ＥＬディスプレイおよび電子機器に関する。
【背景技術】
【０００２】
従来、例えば特許文献１に記載の有機ＥＬ(Electro Luminescence)ディスプレイが知られている。曲げて用いることが可能なフレキシブルな有機ＥＬディスプレイは、その特性から全面をカバーガラスなどで保護することが難しい場合がある。
【先行技術文献】
【特許文献】
【０００３】
【特許文献１】特開２０１８−１１２８３４号公報
【発明の概要】
【発明が解決しようとする課題】
【０００４】
フレキシブルな有機ＥＬディスプレイの曲げられる部分は、他の部位に比べて損傷しやすい傾向がある。有機ＥＬディスプレイの一部が損傷すると、水分（湿気）や酸素の浸入により、広範囲に欠陥領域が拡大するおそれがある。
【０００５】
上記事情に鑑み、本発明は、有機ＥＬディスプレイの欠陥領域の拡大を抑制できる有機ＥＬディスプレイおよび電子機器を提供することを目的の一つとする。
【課題を解決するための手段】
【０００６】
本発明の有機ＥＬディスプレイの一つの態様は、複数のスイッチング素子を有し曲げ変形可能な電極層と、前記電極層の表面に互いに離れて配置される複数の有機ＥＬ層と、前記電極層および複数の前記有機ＥＬ層を同一の空間内に密封して収容する封止膜と、を備え、前記封止膜は、前記スイッチング素子を含む前記電極層の一部および前記有機ＥＬ層を収容し個々に密封される複数の画像封止部と、隣り合う前記画像封止部同士の間に配置され、前記電極層の一部が収容される電極封止部と、を有する。
また、本発明の一つの態様は、上述の有機ＥＬディスプレイと、前記有機ＥＬディスプレイが設けられる筐体と、を備えた電子機器であって、前記筐体は、前記筐体の外縁部にエッジ部を有し、前記電極封止部は、前記エッジ部に配置される。
【発明の効果】
【０００７】
本発明の一つの態様の有機ＥＬディスプレイおよび電子機器によれば、有機ＥＬディスプレイの欠陥領域の拡大を抑制できる。
【図面の簡単な説明】
【０００８】
【図１】図１は、第１実施形態の有機ＥＬディスプレイを示す平面図である。
【図２】図２は、図１のII-II断面を示す断面図である。
【図３】図３は、第１実施形態の電子機器のエッジ部近傍を示す断面図である。
【図４】図４は、第１実施形態の有機ＥＬディスプレイの変形例を示す平面図である。
【図５】図５は、図４の有機ＥＬディスプレイおよびカバー部材を備える電子機器のエッジ部近傍を示す断面図である。
【図６】図６は、図５のカバー部材の柱部の配置を示す側面図である。
【図７】図７は、第２実施形態の電子機器のエッジ部近傍を示す断面図である。
【図８】図８は、第３実施形態の有機ＥＬディスプレイを示す平面図である。
【発明を実施するための形態】
【０００９】
＜第１実施形態＞
以下、本発明の第１実施形態の有機ＥＬディスプレイ１０および電子機器２０について、図１〜図６を参照して説明する。
本実施形態の有機ＥＬディスプレイ１０は、例えばスマートフォン、ノート型ＰＣ（Personal Computer）、タブレット型ＰＣ等の電子機器２０に用いられる。
【００１０】
図１および図２に示すように、有機ＥＬディスプレイ１０は、電極層１と、複数の有機ＥＬ層２と、封止膜３と、基板４と、バッファ層５と、タッチセンサ層６と、偏光板７と、カバーフィルム８と、制御基板９と、ＦＰＣ（Flexible Printed Circuits）１１と、を備える。有機ＥＬディスプレイ１０は、フレキシブルであり、電気的特性（機能）を維持しつつ曲げ変形可能である。
図３に示すように、電子機器２０は、有機ＥＬディスプレイ１０と、有機ＥＬディスプレイ１０が設けられる筐体２１と、を備える。
【００１１】
（方向定義）
図１および図２等に示すように、本実施形態では、ＸＹＺ直交座標系を設定して各構成の位置関係を説明する。以下、Ｚ軸に沿う方向を厚さ方向と呼び、Ｙ軸に沿う方向を第１方向と呼び、Ｘ軸に沿う方向を第２方向と呼ぶ。
Ｚ軸方向は、電極層１の厚さ方向である。電極層１、有機ＥＬ層２、封止膜３、基板４、バッファ層５、タッチセンサ層６、偏光板７およびカバーフィルム８は、厚さ方向に重なって配置される。厚さ方向のうち、電極層１から有機ＥＬ層２へ向かう方向を厚さ方向の表面側（＋Ｚ側）と呼び、電極層１から基板４へ向かう方向を厚さ方向の裏面側（−Ｚ側）と呼ぶ。なお、厚さ方向の裏面側は、有機ＥＬ層２から電極層１へ向かう方向と言い換えてもよい。
また本実施形態において、Ｙ軸方向は、電極層１の厚さ方向に直交する第１方向である。Ｘ軸方向は、電極層１の厚さ方向および第１方向に直交する第２方向である。
【００１２】
（電極層）
電極層１は、例えば薄膜トランジスタ（Thin Film Transistor：ＴＦＴ）層である。電極層１は、複数のスイッチング素子を有し、曲げ変形可能である。
【００１３】
（有機ＥＬ層）
有機ＥＬ層２は、例えばＲＧＢ（赤色、緑色、青色）有機発光ダイオード（Organic Light Emitting Diode：ＯＬＥＤ）層である。有機ＥＬ層２は、電極層１の表面に複数設けられる。複数の有機ＥＬ層２は、電極層１の表面に互いに離れて配置される。図１および図２に示すように、本実施形態では複数の有機ＥＬ層２が、第１方向に互いに間隔をあけて配置される。
【００１４】
複数の有機ＥＬ層２は、第１有機ＥＬ層２ａと、第２有機ＥＬ層２ｂと、を有する。
第１有機ＥＬ層２ａと第２有機ＥＬ層２ｂとは、電極層１の表面において互いに離間して配置される。第２有機ＥＬ層２ｂの第１方向の長さは、第１有機ＥＬ層２ａの第１方向の長さよりも小さい。第２有機ＥＬ層２ｂの表面積は、第１有機ＥＬ層２ａの表面積よりも小さい。
【００１５】
本実施形態では、第１有機ＥＬ層２ａが複数設けられる。複数の第１有機ＥＬ層２ａ同士は、第１方向の長さが互いに異なっていてもよいし、同一でもよい。複数の第１有機ＥＬ層２ａ同士は、表面積が互いに異なっていてもよいし、同一でもよい。本実施形態では第２有機ＥＬ層２ｂが、第１方向において複数の第１有機ＥＬ層２ａ同士の間に配置される。
【００１６】
（封止膜）
封止膜３は、電極層１および複数の有機ＥＬ層２を同一の空間内に密封して収容する。封止膜３は、電極層１および複数の有機ＥＬ層２を、厚さ方向の表面側および裏面側から覆う。封止膜３の内部は、例えば真空雰囲気とされている。
【００１７】
封止膜３は、画像封止部１２と、電極封止部１３と、を有する。
画像封止部１２は、複数設けられる。複数の画像封止部１２は、スイッチング素子を含む電極層１の一部および有機ＥＬ層２を収容し、個々に密封される。各画像封止部１２には、有機ＥＬ層２が１つずつ収容される。本実施形態では複数の画像封止部１２が、第１方向において、互いに離れて配置される。
【００１８】
複数の画像封止部１２は、第１画像封止部１２ａと、第２画像封止部１２ｂと、を有する。
第１画像封止部１２ａと第２画像封止部１２ｂとは、互いに離間して配置される。第２画像封止部１２ｂの第１方向の長さは、第１画像封止部１２ａの第１方向の長さよりも小さい。第２画像封止部１２ｂの表面積は、第１画像封止部１２ａの表面積よりも小さい。
【００１９】
本実施形態では、第１画像封止部１２ａが複数設けられる。複数の第１画像封止部１２ａ同士は、第１方向の長さが互いに異なっていてもよいし、同一でもよい。複数の第１画像封止部１２ａ同士は、表面積が互いに異なっていてもよいし、同一でもよい。本実施形態では第２画像封止部１２ｂが、第１方向において複数の第１画像封止部１２ａ同士の間に配置される。
【００２０】
電極封止部１３は、隣り合う画像封止部１２同士の間に配置され、電極層１の一部が収容される。電極封止部１３には、有機ＥＬ層２は収容されない。このため電極封止部１３は、画像封止部１２よりもフレキシブルであり、曲げ変形させやすい。電極封止部１３は、厚さ方向に直交する方向の長さ（本実施形態では第１方向の幅）が、例えば３ｍｍ以上である。電極封止部１３は、第１方向において第１画像封止部１２ａと第２画像封止部１２ｂとの間に配置される。本実施形態では、電極封止部１３が複数設けられる。複数の電極封止部１３は、第１方向に互いに離間して配置される。
【００２１】
封止膜３は、ＴＦＥ（Thin Film Encapsulation）層３ａと、バリア層３ｂと、を有する。
ＴＦＥ層３ａは、電極層１および有機ＥＬ層２を電極層１の厚さ方向の表面側から覆う。ＴＦＥ層３ａの表面は、凹凸形状である。ＴＦＥ層３ａのうち、有機ＥＬ層２および電極層の一部を覆う部分は、厚さ方向の表面側に突出する凸状であり、電極層１の一部のみを覆う部分は、厚さ方向の裏面側に窪む凹状である。
【００２２】
ＴＦＥ層３ａは、無機材料層と有機材料層とが積層された多層構造である。ＴＦＥ層３ａの無機材料層は、例えばＳｉＮｘ、ＳｉＯｘ、Ａｌ２Ｏ３等の無機材料が、化学気相成長（Chemical Vapor Deposition：ＣＶＤ）、物理気相成長（Physical Vapor Deposition：ＰＶＤ）および原子層堆積（Atomic Layer Diposition：ＡＬＤ）のいずれかにより成膜されることで形成される。ＴＦＥ層３ａの有機材料層は、例えば紫外線硬化樹脂等の有機材料が、インクジェット印刷され紫外線により硬化されることで形成される。
【００２３】
ＴＦＥ層３ａは、ＴＦＥ層３ａの外縁部に鍔部３ｃを有する。鍔部３ｃは、厚さ方向に垂直な方向に拡がる。鍔部３ｃは、厚さ方向に直交する方向の長さ（幅）が、例えば２ｍｍ以上である。鍔部３ｃは、バリア層３ｂと直接接触する。ＴＦＥ層３ａの鍔部３ｃとバリア層３ｂとが厚さ方向に接触することで、封止膜３の外縁部が密封される。
【００２４】
バリア層３ｂは、電極層１を厚さ方向の裏面側から覆う。バリア層３ｂは、厚さ方向において基板４と電極層１とに挟まれる。バリア層３ｂは、基板４の表面に例えばＳｉＮｘをコーティングすることにより形成される。バリア層３ｂは、単層構造でもよく、多層構造でもよい。
【００２５】
（基板）
基板４は、封止膜３の厚さ方向の裏面側に配置される。基板４は、例えばポリイミド製の曲げ変形可能なフィルムである。基板４は、バックプレートまたはバックフィルムと言い換えてもよい。基板４の裏面には、図示しない両面テープ等が貼り付けられる。基板４は、両面テープ等により、電子機器２０の筐体２１と固定される。
【００２６】
（バッファ層）
バッファ層５は、電極層１の厚さ方向において、封止膜３の表面側に配置される。バッファ層５は、ＴＦＥ層３ａの表面に配置される。バッファ層５の表面は、平坦形状である。バッファ層５は、ＴＦＥ層３ａの表面に、例えば紫外線硬化樹脂等の有機材料をインクジェット印刷し、紫外線で硬化させることにより形成される。
【００２７】
（タッチセンサ層）
タッチセンサ層６は、電極層１の厚さ方向において、封止膜３の表面側に配置される。本実施形態ではタッチセンサ層６が、バッファ層５の表面に設けられる。タッチセンサ層６は、例えば静電容量方式のセンサ等を含んで構成され、ユーザの操作入力を検出する。特に図示しないが、タッチセンサ層６は、タッチセンサ基板とＦＰＣ等により電気的に接続される。タッチセンサ基板は、タッチセンサ層６が検出したユーザの操作入力を処理する。
【００２８】
（偏光板）
偏光板７は、電極層１の厚さ方向において、封止膜３の表面側に配置される。本実施形態では偏光板７が、タッチセンサ層６の表面に設けられる。偏光板７は、例えば円偏光板である。
【００２９】
（カバーフィルム）
カバーフィルム８は、電極層１の厚さ方向において、封止膜３の表面側に配置される。本実施形態ではカバーフィルム８が、偏光板７の表面に設けられる。カバーフィルム８は、例えば透明なポリイミド製フィルムである。カバーフィルム８は、有機ＥＬディスプレイ１０の表面側に露出して配置され、有機ＥＬディスプレイ１０を保護する。
【００３０】
（制御基板）
制御基板９は、ＦＰＣ１１を介して、電極層１および複数の有機ＥＬ層２と電気的に接続される。制御基板９は、有機ＥＬディスプレイ１０に表示される画像を制御する。本実施形態では制御基板９が、例えばＬＣＤボードである。
【００３１】
（ＦＰＣ）
ＦＰＣ１１は、電極層１と制御基板９とに接続される。ＦＰＣ１１は、フィルム状であり、電気的特性（機能）を維持しつつ変形可能である。ＦＰＣ１１は、単一層または複数層の導電層を有する。ＦＰＣ１１上には、ＩＣチップが実装されてもよい。ＦＰＣ１１は、有機ＥＬディスプレイ１０の裏面に向けて折り返されてもよい。
【００３２】
（筐体）
特に図示しないが、電子機器２０の筐体２１は、平面視で四角形の板状等である。筐体２１は、内部が中空状であり、筐体２１内には、例えばＣＰＵ、メモリおよびＨＤＤ等を含む制御部、発信器、アンテナ、バッテリ等が収容される。図３に示すように、筐体２１の外面には、有機ＥＬディスプレイ１０が配置される。有機ＥＬディスプレイ１０は、例えば両面テープ等により、筐体２１の外面に固定される。
【００３３】
筐体２１は、平面部２１ａと、エッジ部２１ｂと、を有する。平面部２１ａは、平面状であり、筐体２１の厚さ方向を向く。エッジ部２１ｂは、筐体２１の外縁部に配置される。エッジ部２１ｂは、筐体２１の厚さ方向に垂直な方向を向き、平面部２１ａの端部に接続される。本実施形態では、エッジ部２１ｂが凸曲面状である。具体的に、図３に示す筐体２１の厚さ方向に沿う断面視で、エッジ部２１ｂは凸曲線状である。有機ＥＬディスプレイ１０は、筐体２１の外面のうち、一対の平面部２１ａおよびエッジ部２１ｂにわたって配置される。
【００３４】
有機ＥＬディスプレイ１０の電極封止部１３は、エッジ部２１ｂに配置される。本実施形態では複数の電極封止部１３が、エッジ部２１ｂにおいて互いに間隔をあけて配置される。また、複数の画像封止部１２のうち少なくとも１つは、エッジ部２１ｂに配置される。本実施形態では画像封止部１２が、一対の平面部２１ａおよびエッジ部２１ｂにそれぞれ配置される。詳しくは、第１画像封止部１２ａが平面部２１ａに配置され、第２画像封止部１２ｂがエッジ部２１ｂに配置される。したがって、第１有機ＥＬ層２ａは平面部２１ａに配置され、第２有機ＥＬ層２ｂはエッジ部２１ｂに配置される。エッジ部２１ｂに位置する第２有機ＥＬ層２ｂには、例えば時計や通知などが表示される。
【００３５】
以上説明した本実施形態の有機ＥＬディスプレイ１０およびこれを備えた電子機器２０によれば、下記の作用効果が得られる。
すなわち本実施形態では、複数の画像封止部１２が、個々に密封状態とされ、それぞれ有機ＥＬ層２を収容する。このため、複数の画像封止部１２のうち、所定の画像封止部１２に衝撃等により損傷が生じた場合でも、この所定の画像封止部１２以外の別の画像封止部１２の有機ＥＬ層２にまで欠陥領域が拡がることは抑制される。すなわち、複数の画像封止部１２は個別に密封されているので、損傷した所定の画像封止部１２の内部に水分や酸素が浸入しても、別の画像封止部１２の有機ＥＬ層２に水分や酸素が接触することはなく、所定の画像封止部１２内において有機ＥＬ層２の欠陥領域の拡大が終息する。したがって、有機ＥＬディスプレイ１０は、広範囲に欠陥領域が拡大することが抑制される。
【００３６】
具体的に、例えば、電子機器２０のエッジ部２１ｂにフレキシブルな有機ＥＬディスプレイ１０の曲げられる部分が位置し、この曲げられる部分に、画像面積が小さい画像封止部１２（本実施形態では第２画像封止部１２ｂ）を配置することにより、エッジ部２１ｂから有機ＥＬディスプレイ１０の欠陥領域が拡大することを安定して抑えることが可能になる。
【００３７】
なお、封止膜３のうち電極封止部１３には、有機ＥＬ層２が収容されていない。このため電極封止部１３は、画像封止部１２に比べて屈曲させやすい。したがって、筐体２１のエッジ部２１ｂに電極封止部１３を配置し曲げ変形させることで、電子機器２０の外形に有機ＥＬディスプレイ１０をフィットさせやすい。特に、本実施形態のように電極封止部１３が、厚さ方向（Ｚ軸方向）に直交する方向の長さが３ｍｍ以上であると、電極封止部１３の機能を良好に維持しつつ、電極封止部１３を例えば直角や鋭角等に屈曲させることが容易であり、曲げ変形の自由度がより高められる。
【００３８】
また本実施形態では、封止膜３がＴＦＥ層３ａおよびバリア層３ｂを有しており、ＴＦＥ層３ａの無機材料層により、封止膜３の内部に水分や酸素が浸入することが抑制される。またＴＦＥ層３ａの有機材料層により、ＴＦＥ層３ａに柔軟性が付与され、ＴＦＥ層３ａがフレキシブルに曲げ変形可能となって割れにくくなる。
【００３９】
また本実施形態では、ＴＦＥ層３ａの外縁部の鍔部３ｃと、バリア層３ｂとが直接接触することで、ＴＦＥ層３ａとバリア層３ｂとの接触面積が大きく確保される。これにより、ＴＦＥ層３ａの外縁部において、封止膜３の密封状態が良好に維持される。特に、本実施形態のように鍔部３ｃが、厚さ方向に直交する方向の長さが２ｍｍ以上であると、鍔部３ｃとバリア層３ｂとの密封状態がより安定する。
【００４０】
また本実施形態では、バリア層３ｂが、厚さ方向において基板４と電極層１とに挟まれて配置されるので、有機ＥＬディスプレイ１０の製造時に、基板４の表面にバリア層３ｂを形成し、バリア層３ｂの表面に電極層１を形成できる。このため、有機ＥＬディスプレイ１０を作りやすい。また、基板４の裏面を例えば両面テープ等により電子機器２０の筐体２１に貼り付けることで、電子機器２０に有機ＥＬディスプレイ１０を簡単に固定できる。
【００４１】
また本実施形態では、ＴＦＥ層３ａの表面にバッファ層５が設けられる。すなわち、ＴＦＥ層３ａの表面が凹凸面であっても、ＴＦＥ層３ａの表面にバッファ層５を設けることにより、バッファ層５の平坦な表面にタッチセンサ層６等の別の層を安定して配置することができる。
【００４２】
また本実施形態では、有機ＥＬディスプレイ１０にタッチセンサ層６が設けられる。タッチセンサ層６は有機ＥＬディスプレイ１０の曲げられる部分にも配置される。つまり、タッチセンサ層６は電子機器２０のエッジ部２１ｂにも配置される。このため、電子機器２０のエッジ部２１ｂを利用したタッチ操作が可能である。
【００４３】
また本実施形態では、有機ＥＬ層２が例えばＲＧＢ有機発光ダイオード層であるので、有機ＥＬディスプレイ１０に偏光板７が設けられることにより、ディスプレイに所望の画像を表示できる。
【００４４】
また本実施形態では、第１画像封止部１２ａおよび第２画像封止部１２ｂのうち、第１方向の長さ（図２のＹ軸方向の幅）が小さい第２画像封止部１２ｂを電子機器２０のエッジ部２１ｂに配置することで、上述した作用効果が安定して得られる。すなわち、電子機器２０のエッジ部２１ｂに配置される有機ＥＬディスプレイ１０の曲げられる部分は、他の部位に比べて損傷しやすい傾向があるが、この曲げられる部分に第１方向の長さが小さい（画像面積が小さい）第２画像封止部１２ｂが配置されることにより、欠陥領域の拡大がより小さく抑えられる。
【００４５】
また本実施形態において、有機ＥＬ層２が収容されない電極封止部１３は、その機能を維持しつつ屈曲させることができる。このため、筐体２１の厚さ方向に沿う断面視において、たとえエッジ部２１ｂの曲率半径が小さい場合でも、エッジ部２１ｂに電極封止部１３を配置し曲げ変形させることで、有機ＥＬディスプレイ１０を筐体２１の外形に容易にフィットさせることが可能になる。したがって、有機ＥＬディスプレイ１０の形状の自由度が高められる。
【００４６】
また本実施形態では、複数の画像封止部１２のうち少なくとも１つが、電子機器２０のエッジ部２１ｂに配置されるので、エッジ部２１ｂにおいても、画像封止部１２が収容する有機ＥＬ層２で画像を表示できる。すなわち、電子機器２０のエッジ部２１ｂに適した情報等を表示することが可能である。
【００４７】
ここで、図４〜図６を参照して、本実施形態の有機ＥＬディスプレイ１０および電子機器２０の変形例について説明する。
図４に示すように、この変形例では、第２画像封止部１２ｂが、複数設けられる。複数の第２画像封止部１２ｂは、第２方向（Ｘ軸方向）において、互いに離れて配置される。第２方向において隣り合う第２画像封止部１２ｂ同士の間には、電極封止部１３が配置される。すなわちこの変形例では、複数の画像封止部１２が、第１方向（Ｙ軸方向）に互いに間隔をあけて複数配置され、かつ、第２方向においても互いに間隔をあけて複数配置される。つまり複数の画像封止部１２が、第１方向および第２方向において、互いに離れて配置される。また、複数の有機ＥＬ層２が、第１方向および第２方向において、互いに間隔をあけて配置される。
この変形例によれば、有機ＥＬディスプレイ１０の欠陥領域の拡大をより小さく抑えられる。特に、電子機器２０のエッジ部２１ｂに配置される第２画像封止部１２ｂが、第２方向に互いに分離して複数設けられるので、エッジ部２１ｂにおいて欠陥領域が拡大することをより抑制できる。
【００４８】
図５に示すように、この変形例では、電子機器２０が、筐体２１に装着されるカバー部材２２を備える。カバー部材２２は、筐体２１に着脱可能に取り付けられてもよいし、着脱不能に固定されてもよい。カバー部材２２は、例えば透明なプラスチック等の樹脂製である。カバー部材２２は、平面カバー部２２ａと、エッジカバー部２２ｂと、を有する。
【００４９】
平面カバー部２２ａは、平坦な板状である。平面カバー部２２ａは、筐体２１の厚さ方向に垂直な方向に拡がる。平面カバー部２２ａは、筐体２１の平面部２１ａ上に配置されて、有機ＥＬディスプレイ１０の一部を覆う。
エッジカバー部２２ｂは、湾曲する板状である。エッジカバー部２２ｂは、筐体２１のエッジ部２１ｂの凸曲面に沿うように湾曲する。エッジカバー部２２ｂは、エッジ部２１ｂ上に配置されて、有機ＥＬディスプレイ１０の一部を覆う。
ユーザは、透明な平面カバー部２２ａおよびエッジカバー部２２ｂを通して、画像封止部１２の有機ＥＬ層２に表示される画像を視認可能である。
【００５０】
図６に示すように、エッジカバー部２２ｂは、柱部２２ｃを有する。柱部２２ｃは、エッジカバー部２２ｂの内側面から、エッジ部２１ｂへ向けて突出する。柱部２２ｃは、有機ＥＬディスプレイ１０に接触する。この有機ＥＬディスプレイ１０は、図４に示す変形例の有機ＥＬディスプレイ１０であり、第２方向（Ｘ軸方向）に互いに離間して配置される一対の第２画像封止部１２ｂ同士の間に、電極封止部１３が配置されている。図６に示すように柱部２２ｃは、この電極封止部１３上に配置される。特に図示しないが、エッジカバー部２２ｂの外側面のうち、柱部２２ｃと重なる部分には、例えば黒色等の不透明な着色領域が設けられる。
この変形例によれば、カバー部材２２により電子機器２０のエッジ部２１ｂを保護することができ、有機ＥＬディスプレイ１０に欠陥領域が生じることを抑制できる。また、カバー部材２２の柱部２２ｃが、電極封止部１３上に配置されているので、有機ＥＬディスプレイ１０に対して、柱部２２ｃを介して外部の力が作用しても、画像封止部１２が損傷することは抑制される。
【００５１】
＜第２実施形態＞
次に、本発明の第２実施形態の電子機器３０について、図７を参照して説明する。なお、第２実施形態では、第１実施形態と同じ構成要素については同じ符号を付して、その説明を省略する。
【００５２】
本実施形態の電子機器３０は、筐体２１のエッジ部２１ｂが、筐体２１の厚さ方向に沿う平面状の部分を有する。具体的に、図７に示す筐体２１の厚さ方向に沿う断面視で、エッジ部２１ｂは直線状の部分を有する。またエッジ部２１ｂは、平面部２１ａと接続する角部２１ｃを有する。角部２１ｃは、筐体２１の厚さ方向においてエッジ部２１ｂの端部に位置する。図７に示す断面視で、角部２１ｃは例えば直角である。角部２１ｃは、エッジ部２１ｂに複数設けられる。複数の角部２１ｃは、筐体２１の厚さ方向に互いに離間して配置される。
【００５３】
本実施形態では、有機ＥＬディスプレイ１０の電極封止部１３が、エッジ部２１ｂの角部２１ｃに配置される。電極封止部１３は、エッジ部２１ｂの各角部２１ｃに、それぞれ配置される。
【００５４】
本実施形態のように、電子機器３０のエッジ部２１ｂが例えば直角や鋭角等の尖った角部２１ｃを有していても、この角部２１ｃ上に電極封止部１３を配置し曲げ変形させることで、電子機器３０の外形に有機ＥＬディスプレイ１０をフィットさせやすくすることができる。また、比較的外部からの衝撃を受けやすい角部２１ｃ上に電極封止部１３が配置されるので、外部から角部２１ｃに衝撃が加えられても、画像封止部１２の有機ＥＬ層２が損傷することは抑制される。
【００５５】
＜第３実施形態＞
次に、本発明の第３実施形態の有機ＥＬディスプレイ４０について、図８を参照して説明する。なお、第３実施形態では、第１実施形態および第２実施形態と同じ構成要素については同じ符号を付して、その説明を省略する。
【００５６】
本実施形態では有機ＥＬディスプレイ４０が、２つの画像封止部１２と、２つの画像封止部１２間に位置する１つの電極封止部１３と、を有する。有機ＥＬディスプレイ４０は、電極封止部１３を中心に曲げ変形可能であり、具体的には、図８に示す状態から電極封止部１３を中心に１８０°内折りまたは１８０°外折り可能である。
【００５７】
有機ＥＬディスプレイ４０を内折りする場合は、例えばクラムシェル型（ノート型）ＰＣ等の電子機器に、有機ＥＬディスプレイ４０を適用できる。
有機ＥＬディスプレイ４０が、電極封止部１３を中心に１８０°内折りされることで、２つの画像封止部１２同士が、互いに隙間をあけて対向しまたは接触する。また、有機ＥＬディスプレイ４０が、電極封止部１３を中心に９０°または鈍角等に内折りされることで、２つの画像封止部１２の各有機ＥＬ層２で表示される画像を、適宜視認しやすい配置とすることができる。
【００５８】
有機ＥＬディスプレイ４０を外折りする場合は、例えばタブレット型ＰＣ等の電子機器に、有機ＥＬディスプレイ４０を適用できる。
有機ＥＬディスプレイ４０が、電極封止部１３を中心に１８０°外折りされることで、２つの画像封止部１２同士が、互いに反対方向を向いて背中合わせに配置される。この場合、電子機器の表面および裏面に、２つの画像封止部１２の各有機ＥＬ層２で画像をそれぞれ表示させることができる。
【００５９】
なお、第３実施形態の有機ＥＬディスプレイ４０では、電極封止部１３は、電極層１の厚さ方向に直交する方向の長さ（本実施形態では第１方向の幅）が、４ｍｍ以上であることが好ましい。これにより、有機ＥＬディスプレイ４０の機能を良好に維持しつつ、有機ＥＬディスプレイ４０を１８０°内折りまたは１８０°外折りすることができる。
【００６０】
なお、本発明は前述の実施形態に限定されず、例えば下記に説明するように、本発明の趣旨を逸脱しない範囲において構成の変更等が可能である。
【００６１】
前述の実施形態では、有機ＥＬ層２として、ＲＧＢ有機発光ダイオード層を用いた例を挙げたが、これに限らない。有機ＥＬ層２は、例えば白色有機発光ダイオード層でもよい。この場合、有機ＥＬディスプレイ１０，４０は、偏光板７の代わりにカラーフィルタを備える。
【００６２】
その他、本発明の趣旨から逸脱しない範囲において、前述の実施形態、変形例およびなお書き等で説明した各構成（構成要素）を組み合わせてもよく、また、構成の付加、省略、置換、その他の変更が可能である。また本発明は、前述した実施形態によって限定されることはなく、特許請求の範囲によってのみ限定される。
【符号の説明】
【００６３】
１…電極層、２…有機ＥＬ層、３…封止膜、３ａ…ＴＦＥ層、３ｂ…バリア層、３ｃ…鍔部、４…基板、５…バッファ層、６…タッチセンサ層、７…偏光板、１０，４０…有機ＥＬディスプレイ、１２…画像封止部、１２ａ…第１画像封止部、１２ｂ…第２画像封止部、１３…電極封止部、２０，３０…電子機器、２１…筐体、２１ｂ…エッジ部、２２…カバー部材、２２ｂ…エッジカバー部、２２ｃ…柱部
【図１】
2020136188.tif 000003
【図２】
2020136188.tif 000004
【図３】
2020136188.tif 000005
【図４】
2020136188.tif 000006
【図５】
2020136188.tif 000007
【図６】
2020136188.tif 000008
【図７】
2020136188.tif 000009
【図８】
2020136188.tif 000010
【手続補正書】
【提出日】令和2年4月30日(2020.4.30)
【手続補正１】
【補正対象書類名】特許請求の範囲
【補正対象項目名】請求項１
【補正方法】変更
【補正の内容】
【請求項１】
複数のスイッチング素子を有し曲げ変形可能な電極層と、
前記電極層の表面に互いに離れて配置される複数の有機ＥＬ層と、
前記電極層および複数の前記有機ＥＬ層を同一の空間内に密封して収容する封止膜と、を備え、
前記封止膜は、
前記スイッチング素子を含む前記電極層の一部および前記有機ＥＬ層を収容し個々に密封される複数の画像封止部と、
隣り合う前記画像封止部同士の間に配置され、前記有機ＥＬ層は収容されず、前記電極層の一部が収容される電極封止部と、を有し、
前記電極封止部に収容される前記電極層は、隣り合う前記画像封止部に収容される前記電極層同士を電気的に接続する、
有機ＥＬディスプレイ。
【手続補正２】
【補正対象書類名】明細書
【補正対象項目名】０００６
【補正方法】変更
【補正の内容】
【０００６】
本発明の有機ＥＬディスプレイの一つの態様は、複数のスイッチング素子を有し曲げ変形可能な電極層と、前記電極層の表面に互いに離れて配置される複数の有機ＥＬ層と、前記電極層および複数の前記有機ＥＬ層を同一の空間内に密封して収容する封止膜と、を備え、前記封止膜は、前記スイッチング素子を含む前記電極層の一部および前記有機ＥＬ層を収容し個々に密封される複数の画像封止部と、隣り合う前記画像封止部同士の間に配置され、前記有機ＥＬ層は収容されず、前記電極層の一部が収容される電極封止部と、を有し、前記電極封止部に収容される前記電極層は、隣り合う前記画像封止部に収容される前記電極層同士を電気的に接続する。
また、本発明の一つの態様は、上述の有機ＥＬディスプレイと、前記有機ＥＬディスプレイが設けられる筐体と、を備えた電子機器であって、前記筐体は、前記筐体の外縁部にエッジ部を有し、前記電極封止部は、前記エッジ部に配置される。